(57)【要約】  サービスセルのサブフレーム設定情報の伝達方法及びドナー基地局であって、移動中継のシーンで適用され、該方法は、現在のドナー基地局が、移動中継ＭＲの前記現在のドナー基地局でのサービスセルのロングタームエボリューション時間分割復信ＬＴＥ−ＴＤＤサブフレーム設定情報を含むセルアクティブ化メッセージを、ターゲットドナー基地局に送信することを含む。上記技術的解決手段は、従来のＭＲが複数のドナー基地局の間に移動する時、ターゲットＤｅＮＢセルがどのようにＴＤＤサブフレーム設定の連続性を保証するかの問題を解決する。【選択図】図３
2016502317.tif 000002
【特許請求の範囲】
【請求項１】
移動中継のシーンで適用されるサービスセルのサブフレーム設定情報の伝達方法であって、
現在のドナー基地局が、移動中継（ＭＲ）の前記現在のドナー基地局でのサービスセルのロングタームエボリューション時間分割復信（ＬＴＥ−ＴＤＤ）サブフレーム設定情報を含むセルアクティブ化メッセージを、ターゲットドナー基地局に送信することを含む、サービスセルのサブフレーム設定情報の伝達方法。
【請求項２】
前記現在のドナー基地局がターゲットドナー基地局にセルアクティブ化メッセージを送信するステップは、
前記現在のドナー基地局が、Ｘ２インターフェース又はＳ１インターフェースを介して、前記ターゲットドナー基地局に前記セルアクティブ化メッセージを送信することを含む請求項１に記載の伝達方法。
【請求項３】
前記現在のドナー基地局が、Ｓ１インターフェースを介して、前記ターゲットドナー基地局に前記セルアクティブ化メッセージを送信するステップは、
前記現在のドナー基地局が、前記Ｓ１インターフェースを介して、ＭＭＥに前記セルアクティブ化メッセージを送信し、前記ＭＭＥが、前記Ｓ１インターフェースを介して、前記ターゲットドナー基地局に前記セルアクティブ化メッセージを送信することを含む請求項２に記載の伝達方法。
【請求項４】
前記セルアクティブ化メッセージには、アクティブ化待ちの一つ又は複数のセル情報を更に含む請求項１に記載の伝達方法。
【請求項５】
前記現在のドナー基地局がターゲットドナー基地局にセルアクティブ化メッセージを送信する前、
前記現在のドナー基地局が、前記ＭＲの切替要求メッセージに含まれている履歴セル情報に基づいて、前記ターゲットドナー基地局を確定することを更に含む請求項１〜４のいずれか１項に記載の伝達方法。
【請求項６】
移動中継のシーンで適用され、送信モジュールを含むドナー基地局であって、
前記送信モジュールは、移動中継（ＭＲ）の前記ドナー基地局でのサービスセルのロングタームエボリューション時間分割復信（ＬＴＥ−ＴＤＤ）サブフレーム設定情報を含むセルアクティブ化メッセージを、ターゲットドナー基地局に送信するように設定されるドナー基地局。
【請求項７】
前記送信モジュールは、
Ｘ２インターフェース又はＳ１インターフェースを介してターゲットドナー基地局にセルアクティブ化メッセージを送信するという方式で、前記ターゲットドナー基地局に前記セルアクティブ化メッセージを送信するように設定される請求項６に記載のドナー基地局。
【請求項８】
前記送信モジュールは、
ＭＭＥがＳ１インターフェースを介して前記ターゲットドナー基地局に前記セルアクティブ化メッセージを送信するように、前記Ｓ１インターフェースを介して前記ＭＭＥに前記セルアクティブ化メッセージを送信するという方式で、前記Ｓ１インターフェースを介して前記ターゲットドナー基地局に前記セルアクティブ化メッセージを送信するように設定される請求項７に記載のドナー基地局。
【請求項９】
前記セルアクティブ化メッセージには、アクティブ化待ちの一つ又は複数のセル情報を更に含む請求項６に記載のドナー基地局。
【請求項１０】
前記ＭＲの切替要求メッセージに含まれている歴史セル情報に基づいて、前記ターゲットドナー基地局を確定するように設定される確定モジュールを更に含む請求項６〜９のいずれか１項に記載のドナー基地局。
【発明の詳細な説明】
【技術分野】
【０００１】
本発明は無線セルラ通信システムに関し、特にサービスセルのサブフレーム設定情報の伝達方法及びドナー基地局に関する。
【背景技術】
【０００２】
第三世代移動通信システムの通信分野での競争力を保持するために、第３世代パートナーシッププロジェクト（３ＧＰＰ、3rd Generation Partnership Project）標準作業グループは、進化型パケットシステム（ＥＰＳ、Evolved Packet System）の研究に力を注いでいる。ＥＰＳシステム全体は、主に進化型ユニバーサル地上無線アクセスネットワーク（Ｅ−ＵＴＲＡＮ、Evolved Universal Terrestrial Radio Access Network）及び進化型パケットコアネットワーク（ＥＰＣ、Evolved Packet Core）の２つの部分を含む。該システムのＥＰＣは、ユーザがグローバルモバイル通信システム（ＧＳＭ、Global System for Mobile）／強化データレートＧＳＭサービス（ＥＤＧＥ、Enhanced Data rates for GSM Evolution）無線アクセスネットワーク（ＧＥＲＡＮ、GSM EDGE radio access network）及びユニバーサル地上無線アクセスネットワーク（ＵＴＲＡＮ、Universal Terrestrial Radio Access Network）からのアクセスをサポートする。
【０００３】
ＥＰＣパケットコアネットワークには、ホーム加入者データサーバ（ＨＳＳ、Home Subscriber Server）、移動管理エンティティ（ＭＭＥ、Mobility Management Entity）、サービスゲートウェイ（Serving Gateway、Ｓ−ＧＷ）、パケットデータネットワークゲートウェイ（Ｐ−ＧＷ、PDN Gateway）、サービスＧＰＲＳサポートノード（ＳＧＳＮ、Serving GPRS Support node）及びポリシー／課金実施機能エンティティ（ＰＣＲＦ、Policy and Charging Enforcement Function）を含み、そのうち、
ＨＳＳは、ユーザ加入データの永久記憶場所であり、ユーザ加入のホームネットワークに位置し、
ＭＭＥは、ユーザ加入データの現在のネットワークでの記憶場所であり、端末からネットワーク非アクセス層（ＮＡＳ、Non-Access Stratum）へのシグナリング管理、ユーザのアイドルモードでの追跡／ページング管理機能及び負荷管理を受け持ち、
Ｓ−ＧＷは、コアネットワークから無線システムへのゲートウェイであり、端末からコアネットワークへのユーザプレーン負荷、端末のアイドルモードでのデータキャッシュ、ネットワーク側によるサービス要求の開始の機能、合法盗聴及びパケットデータルーティング／転送機能を受け持ち、
Ｐ−ＧＷは、進化型パケットシステム（ＥＰＳ）及び該システム外部ネットワークのゲートウェイであり、端末のＩＰアドレス割り当て、課金機能、パケットフィルター、ポリシー適用等の機能を受け持ち、
ＳＧＳＮは、ＧＥＲＡＮ及びＵＴＲＡＮユーザのＥＰＣネットワークへのアクセスのサービスサポートポイントであり、機能でＭＭＥと類似し、ユーザの位置更新、ページング管理及び負荷管理等の機能を受け持ち、
ＰＣＲＦは、ＰＣＥＦにポリシーコントロール及び課金規則を提供することを受け持つ。
【０００４】
いくつかのシーンで、無線カバレッジ領域を拡げるために、又は一時的に無線によるアクセスユーザの数を増加するために、中継（Relay）ノードの概念を導入する。該ネットワーク構造の模式図は図１に示され、ネットワークエレメントは以下のように説明され、
中継ノード（ＲＮ、Relay node）は２つ部分の機能、即ちＵＥ及び中継ノードの機能を含む。ＲＮは一方ではＵＥとしてネットワークにアクセスし、負荷等の関連操作を作成し、他方ではｅＮＢとしてＵＥにアクセスを提供する。
【０００５】
ドナー基地局（ＤｅＮＢ、Donor eNodeB）は、ＲＮに無線アクセスを提供しており、ＲＮ−ＵＥの無線リソースコントロール（ＲＲＣ）シグナリングを終了させ、ＲＮ−ｅＮＢのＳ１ＡＰシグナリング及びＸ２シグナリングを終了させる。同時にＲＮ−ＵＥのＳＧＷ及びＰＧＷを内蔵する。
【０００６】
中継ノードのネットワーク管理システム（ＲＮ ＯＡＭ、Relay Node Operator and Management）は、ＲＮがその中から必要な接続情報を取得することに用いられる。
【０００７】
オペレータが該構造を配備する主な目的は、有線接続の配備が不便な所で、例えば、比較的辺鄙な未発展地域、又は突発的な大型ミーティング若しくは試合の現場で、中継ノードを配備することにより基地局のカバレッジ領域を拡げることである。このようなシーンで、中継ノードの位置は通常固定されている。ところが、中継ノードの適用に伴って、オペレータは、この技術をより幅広いシーンへの適用を配慮し始め、例えば高速鉄道で、列車の高速移動のため、列車の沿線に多くの有線通信施設を配備する必要があり、このように、大幅にオペレータの配備コストを増加するが、中継ノードとドナー基地局との間の無線リンクは丁度このコストを低下させることができ、従ってオペレータに期待されており、図２に示すように、この装置は移動中継（ＭＲ、Mobile Relay）と称される。
【０００８】
従来のＤｅＮＢサービスセルは、ロングタームエボリューション周波数分割複信（ＬＴＥ−ＦＤＤ）セルであってもよく、ロングタームエボリューション時間分割復信（ＬＴＥ−ＴＤＤ）セルであってもよい。ＬＴＥ−ＴＤＤシステムには、時間分割復信のメカニズムを用いるため、上り下りリンクサブフレームの割合を柔軟に設定することができる。ＬＴＥ−ＴＤＤシステムのフレーム構造には、１０個のサブフレームが存在し、サブフレームは、通常のサブフレームと特殊なサブフレームの２種類に分けられ、通常のサブフレームは、２つの長さが０．５ｍｓであるタイムスロットから構成され、特殊なサブフレームは、３つの特殊なタイムスロットから構成され、それぞれは下りリンクパイロットタイムスロット、上りリンクパイロットタイムスロット及びガード区間であり、この３つの特殊なタイムスロットの長さの和は１ｍｓである。ＬＴＥ−ＴＤＤシステムは、９種の異なる特殊なサブフレームの設定方式を持つ。従来のサービスセルに含まれているＬＴＥ−ＴＤＤサブフレーム設定情報は、表１に示されている。ＭＲが次のＤｅＮＢに移動した時、ターゲットＤｅＮＢセルはＭＲの上り下りリンクのトラフィック（traffic）割合に基づいてＴＤＤ設定（ＴＤＤ−ｃｏｎｆｉｇ）を設定し、又は現在のサービスＤｅＮＢセルのＴＤＤサブフレーム設定を継続使用する必要があり、特に、従来のＬＴＥ−ＴＤＤセルは、現在のセルのサービス状況に基づいて、ＴＤＤサブフレーム設定の調整を動的に行うことができ、すなわち、現在のＤｅＮＢサービスセル及びＭＲが次のＤｅＮＢサービスセルに移動したＴＤＤサブフレーム設定の連続性を保持することは望ましい。しかしながら、従来の移動中継ノードが複数のドナー基地局の間に移動する時、ターゲットＤｅＮＢセルがどのようにＴＤＤサブフレーム設定を迅速且つ効果的に行うかは、解決する必要がある問題になる。
【０００９】
【表１】
2016502317.tif 000003
【発明の概要】
【発明が解決しようとする課題】
【００１０】
本発明の実施例は、サブフレーム設定情報の伝達方法を提供しており、従来のＭＲが複数のドナー基地局の間に移動する時、ターゲットＤｅＮＢセルがどのようにＴＤＤサブフレーム設定の連続性を保証するかの問題を解決する。
【課題を解決するための手段】
【００１１】
上記の技術問題を解決するために、以下の技術的解決手段を用いる。
【００１２】
移動中継のシーンで適用されるサービスセルのサブフレーム設定情報の伝達方法であって、
現在のドナー基地局が、移動中継（ＭＲ）の前記現在のドナー基地局でのサービスセルのロングタームエボリューション時間分割復信（ＬＴＥ−ＴＤＤ）サブフレーム設定情報を含むセルアクティブ化メッセージをターゲットドナー基地局に送信することを含む。
【００１３】
選択的に、前記現在のドナー基地局がターゲットドナー基地局にセルアクティブ化メッセージを送信するステップは、
前記現在のドナー基地局が、Ｘ２インターフェース又はＳ１インターフェースを介して、前記ターゲットドナー基地局に前記セルアクティブ化メッセージを送信することを含む。
【００１４】
選択的に、前記現在のドナー基地局がＳ１インターフェースを介して前記ターゲットドナー基地局に前記セルアクティブ化メッセージを送信するステップは、
前記現在のドナー基地局が、前記Ｓ１インターフェースを介して、ＭＭＥに前記セルアクティブ化メッセージを送信し、前記ＭＭＥが、前記Ｓ１インターフェースを介して、前記ターゲットドナー基地局に前記セルアクティブ化メッセージを送信することを含む。
【００１５】
選択的に、前記セルアクティブ化メッセージには、アクティブ化待ちの一つ又は複数のセル情報を更に含む。
【００１６】
選択的に、前記現在のドナー基地局がターゲットドナー基地局にセルアクティブ化メッセージを送信する前、前記方法は、
前記現在のドナー基地局が、前記ＭＲの切替要求メッセージに含まれている履歴セル情報に基づいて、前記ターゲットドナー基地局を確定することを更に含む。
【００１７】
移動中継のシーンで適用され、送信モジュールを備えるドナー基地局であって、
前記送信モジュールは、移動中継（ＭＲ）の前記ドナー基地局でのサービスセルのロングタームエボリューション時間分割復信（ＬＴＥ−ＴＤＤ）サブフレーム設定情報を含むセルアクティブ化メッセージを、ターゲットドナー基地局に送信するように設定される。
【００１８】
選択的に、前記送信モジュールは、
Ｘ２インターフェース又はＳ１インターフェースを介してターゲットドナー基地局にセルアクティブ化メッセージを送信するという方式で、前記ターゲットドナー基地局に前記セルアクティブ化メッセージを送信するように設定される。
【００１９】
選択的に、前記送信モジュールは、
ＭＭＥがＳ１インターフェースを介して前記ターゲットドナー基地局に前記セルアクティブ化メッセージを送信するように、前記Ｓ１インターフェースを介して前記ＭＭＥに前記セルアクティブ化メッセージを送信するという方式で、前記Ｓ１インターフェースを介して前記ターゲットドナー基地局に前記セルアクティブ化メッセージを送信するように設定される。
【００２０】
選択的に、前記セルアクティブ化メッセージには、アクティブ化待ちの一つ又は複数のセル情報を更に含む。
【００２１】
選択的に、前記ドナー基地局は確定モジュールを更に備え、
前記確定モジュールは、前記ＭＲの切替要求メッセージに含まれている歴史セル情報に基づいて前記ターゲットドナー基地局を確定するように設定される。
【発明の効果】
【００２２】
上記技術的解決手段はインターフェースメッセージにＬＴＥ−ＴＤＤサブフレーム設定情報を含むことにより、移動中継がターゲットＤｅＮＢに移動した後、ターゲットＤｅＮＢがより迅速且つ効果的にＬＴＥ−ＴＤＤサブフレームを選択及び設定することができ、十分にＭＲのサービス量を配慮してＭＲのサービスセルのＴＤＤサブフレーム設定の連続性を保持し、移動中継の切替最適化の実現及びネットワーク性能の向上に有利である。
【図面の簡単な説明】
【００２３】
【図１】図１は、関連する移動中継の配備シーン図一である。
【図２】図２は、関連する移動中継の配備シーン図二である。
【図３】図３は、本発明に係るサブフレーム設定情報の伝達方法の実施例１のシグナリングフローチャートである。
【図４】図４は、本発明に係るサブフレーム設定情報の伝達方法の実施例２のシグナリングフローチャートである。
【図５】図５は、本発明の実施例に係るドナー基地局構造の模式図である。
【発明を実施するための形態】
【００２４】
本発明の目的、技術的解決手段及び利点をより明確にするために、以下では、図面を参照しながら、本発明の実施例を詳細に説明する。なお、矛盾がない場合、本願における実施例及び実施例における特徴は、任意に組み合せることができる。
【００２５】
本発明の実施例はサービスセルのサブフレーム設定情報の伝達方法を提供しており、該方法は現在のドナー基地局側から説明され、移動中継のシーンで適用され、該方法は、
ステップ１０１：前記現在のドナー基地局が、前記ＭＲの切替要求メッセージに含まれている履歴セル情報に基づいて、前記ターゲットドナー基地局を確定する、このステップは選択的なステップである、
ステップ１０２：現在のドナー基地局が、移動中継（ＭＲ）の前記現在のドナー基地局でのサービスセルのロングタームエボリューション時間分割復信（ＬＴＥ−ＴＤＤ）サブフレーム設定情報を含むセルアクティブ化メッセージを、ターゲットドナー基地局に送信する、
を含む。
【００２６】
該セルアクティブ化メッセージには、アクティブ化待ちの一つ又は複数のセル情報を更に含み、前記現在のドナー基地局が、Ｘ２インターフェース又はＳ１インターフェースを介して、前記ターゲットドナー基地局に前記セルアクティブ化メッセージを送信する。
【００２７】
以下、現在のドナー基地局とターゲットドナー基地局のインタラクションの視点からサービスセルのサブフレーム設定情報の伝達方法を詳細に説明する。
【００２８】
図３を参照しながら、サブフレーム設定情報の伝達方法の実施例１を説明する。
ＤｅＮＢがローカルで省エネルギー判断を行い、現在のセル内のＭＲユーザが移行した後、且つその他の通常のユーザがその他のセルに切り替えることができ、例えばＤｅＮＢはその他のマクロセルにカバレッジされなければ、休眠状態に入ることができない。
【００２９】
ＭＲの移動は正確な方向性を有するため、これは通常のユーザと異なる点である。従来のＭＲの切替フローが通常のユーザと同様であるため、切替要求メッセージに履歴セル情報を含む。ＤｅＮＢ１はＭＲのＵＥ履歴情報に基づいて該ＭＲの移動方向を判断することができ、ＭＲ切替の前にＤｅＮＢ２のアクティブ化操作を行い、ＤｅＮＢ１とＤｅＮＢ２の間にＸ２インターフェースが存在すると仮定すると、該方法は、
ステップ３０１：ＤｅＮＢ１が、Ｘ２インターフェースを介して、アクティブ化待ちの一つ又は複数のセル情報及びＭＲの現在のＤｅＮＢ１でのサービスセルのＬＴＥ−ＴＤＤサブフレーム設定情報を含むセルアクティブ化メッセージを、ＤｅＮＢ２に送信する、
ステップ３０２：ＤｅＮＢ２がセルアクティブ化メッセージを受信した後、処理が成功すると、ＤｅＮＢ１にセルアクティブ化確認メッセージを送信し、さもないと、ステップ３０３に移行する、
ステップ３０３：ＤｅＮＢ２が失敗原因を含むセルアクティブ化失敗メッセージをＤｅＮＢ１に送信する、
を含む。
【００３０】
図４を参照しながら、サブフレーム設定情報の伝達方法の実施例２を説明する。
ＤｅＮＢがローカルで省エネルギー判断を行い、現在のセル内のＭＲユーザが移行した後、且つその他の通常のユーザがその他のセルに切り替えることができ、例えばＤｅＮＢはその他のマクロセルにカバレッジされなければ、休眠状態に入ることができない。
【００３１】
ＭＲの移動は正確な方向性を有するため、これは通常のユーザと異なる点である。従来のＭＲの切替フローが通常のユーザと同様であるため、切替要求メッセージに履歴セル情報を含む。ＤｅＮＢ１はＭＲのＵＥ履歴情報に基づいて該ＭＲの移動方向を判断することができ、ＭＲ切替の前にＤｅＮＢ２のアクティブ化操作を行い、ＤｅＮＢ１とＤｅＮＢ２の間にＸ２インターフェースが存在しないと仮定すると、該方法は、
ステップ４０１：ＤｅＮＢ１が、Ｓ１インターフェースを介して、アクティブ化待ちの一つ又は複数のセル情報及びＭＲ現在のＤｅＮＢ１でのサービスセルのＬＴＥ−ＴＤＤサブフレーム設定情報を含むセルアクティブ化メッセージを、ＭＭＥに送信するステップ４０１、
ステップ４０２：ＭＭＥが、Ｓ１インターフェースを介して、アクティブ化待ちの一つ又は複数のセル情報及びＭＲの現在のＤｅＮＢ１でのサービスセルのＬＴＥ−ＴＤＤサブフレーム設定情報を含むセルアクティブ化メッセージを、ＤｅＮＢ２にパススルーする、
ステップ４０３：ＤｅＮＢ２がセルアクティブ化メッセージを受信した後、処理が成功すると、ＭＭＥにセルアクティブ化確認メッセージを送信し、ステップ４０４を実行し、さもないと、ステップ４０５に移行する、
ステップ４０４：ＭＭＥがセルアクティブ化確認メッセージをＤｅＮＢ１にパススルーし、終了する、
ステップ４０５：ＤｅＮＢ２が失敗原因を含むセルアクティブ化失敗メッセージをＭＭＥに送信する、
ステップ４０６：ＭＭＥがセルアクティブ化失敗メッセージをＤｅＮＢ１にパススルーする、
を含む。
【００３２】
上記サブフレーム設定情報の伝達方法は、インターフェースメッセージにＬＴＥ−ＴＤＤサブフレーム設定情報を含むことにより、移動中継がターゲットＤｅＮＢに移動した後、ターゲットＤｅＮＢがより迅速且つ効果的にＬＴＥ−ＴＤＤサブフレームを選択及び設定することができ、十分にＭＲのサービス量を配慮して、ＭＲのサービスセルのＴＤＤサブフレーム設定の連続性を保持し、移動中継の切替最適化の実現及びネットワーク性能とユーザ満足度の向上に有利である。
【００３３】
図５に示すように、本発明に係るドナー基地局の実施例の構造模式図であり、該ドナー基地局は送信モジュール５１を備え、
送信モジュール５１は、移動中継（ＭＲ）の前記ドナー基地局でのサービスセルのロングタームエボリューション時間分割復信（ＬＴＥ−ＴＤＤ）サブフレーム設定情報を含むセルアクティブ化メッセージを、ターゲットドナー基地局に送信するように設定される。
【００３４】
前記送信モジュール５１は、Ｘ２インターフェース又はＳ１インターフェースを介してターゲットドナー基地局にセルアクティブ化メッセージを送信するという方式で、前記ターゲットドナー基地局に前記セルアクティブ化メッセージを送信するように設定される。具体的には、前記送信モジュール５１は、ＭＭＥが前記Ｓ１インターフェースを介して前記ターゲットドナー基地局に前記セルアクティブ化メッセージを送信するように、前記Ｓ１インターフェースを介して前記ＭＭＥに前記セルアクティブ化メッセージを送信する。
【００３５】
さらに、前記セルアクティブ化メッセージにはアクティブ化待ちの一つ又は複数のセル情報を更に含む。
【００３６】
選択的に、前記ドナー基地局は、前記送信モジュール５１がターゲットドナー基地局にセルアクティブ化メッセージを送信する前、前記ＭＲの切替要求メッセージに含まれている履歴セル情報に基づいて前記ターゲットドナー基地局を確定するように設定される確定モジュール５２を更に含む。
【００３７】
上記ドナー基地局は、ターゲットＤｅＮＢにＬＴＥ−ＴＤＤサブフレーム設定情報を伝達することにより、ターゲットＤｅＮＢが単独なＭＲに対して正確且つ効果的なサービスセルのＬＴＥ−ＴＤＤサブフレーム設定を実現しやすく、ネットワーク性能の最適化に寄与し、ユーザ満足度を向上させる。
【００３８】
当業者は、上記方法における全部又は一部のステップをプログラムによって関連ハードウェアに命令を出して完成させることができ、上記プログラムはコンピュータ読み取り可能な記憶媒体、例えば読取り専用メモリ、ディスク又は光ディスク等に記憶してもよいと理解することができる。選択肢として、上記実施例の全部又は一部のステップは１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【００３９】
以上の実施例は本発明の技術的解決手段を説明するものに過ぎず、本発明を制限するものではなく、好適な実施例を参照しながら本発明を説明するものに過ぎない。当業者にとって、本発明の技術的解決手段の趣旨及び範囲から逸脱することなく、本発明の技術的解決手段に対して変更又は等価置換を行うことができ、これら変更又は等価置換はいずれも本発明の請求の範囲内に属すべきである。
【産業上の利用可能性】
【００４０】
上記技術的解決手段は、インターフェースメッセージにＬＴＥ−ＴＤＤサブフレーム設定情報を含むことにより、移動中継がターゲットＤｅＮＢに移動した後、ターゲットＤｅＮＢがより迅速且つ効果的にＬＴＥ−ＴＤＤサブフレームを選択及び設定することができ、十分にＭＲのサービス量を配慮してＭＲのサービスセルのＴＤＤサブフレーム設定の連続性を保持し、移動中継の切替最適化の実現及びネットワーク性能の向上に有利である。従って、本発明は産業上の実用性が高い。
【図１】
2016502317.tif 000004
【図２】
2016502317.tif 000005
【図３】
2016502317.tif 000006
【図４】
2016502317.tif 000007
【図５】
2016502317.tif 000008
【国際調査報告】
2016502317.tif 000009
2016502317.tif 000010
2016502317.tif 000011
2016502317.tif 000012
2016502317.tif 000013
2016502317.tif 000014